(57)【特許請求の範囲】
【請求項１】
機器本体と、
前記機器本体の側面に設けられ、前記側面に対して傾斜するとともに前記機器本体の背面側を向く前面側傾斜面と、前記側面に対して傾斜するとともに前記機器本体の前面側を向く背面側傾斜面と、を有する凹部と、
前記側面よりも外側に突出しないように前記前面側傾斜面に設けられる電源スイッチと、
を備え、
前記機器本体の前面のうちの前記電源スイッチの前方に位置する部分から、前記電源スイッチの後端部までの距離は１０ｃｍ以下であるとともに、前記電源スイッチは、ユーザーが親指を前記機器本体の前面に当てながら中指によって操作可能な位置に配置されており、
前記電源スイッチの操作面は、上下方向に沿って前記前面側傾斜面に対して傾斜しており、
前記機器本体の前面のうちの前記凹部の近傍には、前記電源スイッチがある旨の表示が施されており、
前記凹部は、水平に形成された上面と、外側に向かって下方に傾斜する下面と、を有し、
前記凹部内には、前記電源スイッチのみが設けられており、
前記電源スイッチは、前記前面側に押されることでオンオフされることを特徴とする電気機器。
【請求項２】
前記凹部の近傍には、前記電源スイッチのオンオフに関する表示が施されていることを特徴とする請求項１に記載の電気機器。
【請求項３】
前記機器本体の前面のうちの前記凹部の近傍には、前記電源スイッチのオンオフに関する表示が施されていることを特徴とする請求項２に記載の電気機器。
【発明の詳細な説明】
【技術分野】
【０００１】
本発明は、複写機、プリンターおよびファクシミリ等の画像形成装置、スキャナー、空気清浄器、パソコン等の電気機器に関し、特に、電源スイッチが側面に設けられた電気機器に関するものである。
【背景技術】
【０００２】
従来、例えば画像形成装置等の電気機器では、電源スイッチは操作性や視認性の観点から機器本体の前面に配置されていた。しかしながら、機器本体の前面に電源スイッチを設けた場合、ユーザーが誤って（不用意に）電源スイッチをオフしてしまう場合があった。
【０００３】
この誤操作を抑制するために、例えば特許文献１では、機器本体の側面に前面側を向く傾斜面を有する凹部を設け、その傾斜面に電源スイッチを設けた画像形成装置（電気機器）が開示されている。この画像形成装置では、電源スイッチを機器本体の側面の凹部内に設けるので、ユーザーによる電源スイッチの誤操作をある程度抑制することができる。
【先行技術文献】
【特許文献】
【０００４】
【特許文献１】特開２０１１−２４４１１２号公報
【発明の概要】
【発明が解決しようとする課題】
【０００５】
しかしながら、上記特許文献１の画像形成装置（電気機器）では、電源スイッチは前面側を向く傾斜面に設けられているので、ユーザーの立ち位置によっては電源スイッチが見えやすい。このため、ユーザーによる電源スイッチの誤操作を十分に抑制することが困難であるという問題点がある。さらに、この構成では図７に示すように、ユーザーが人差し指で前面側を向く電源スイッチ２０１を操作するとき、手が水平方向になる（手のひらが下を向いた状態になる）。このため、電気機器を設置する場合には、電気機器の側面には手を水平方向にできる程度の空間がないと操作が困難である。
【０００６】
本発明は、上記のような課題を解決するためになされたものであり、本発明の目的は、電源スイッチの誤操作を十分に抑制することが可能な電気機器を提供することである。さらに、この電気機器の側面を部屋の壁などに対して距離を置かずに設置しても、電源スイッチの操作ができる電気機器を提供することが目的である。
【課題を解決するための手段】
【０００７】
上記目的を達成するために、本発明の一の局面に係る電気機器は、機器本体と、機器本体の側面に設けられ、側面に対して傾斜するとともに機器本体の背面側を向く前面側傾斜面を有する凹部と、側面よりも外側に突出しないように前面側傾斜面に設けられる電源スイッチと、を備える。
【発明の効果】
【０００８】
本発明の一の局面に係る電気機器によれば、機器本体の側面に、側面に対して傾斜するとともに機器本体の背面側を向く前面側傾斜面を有する凹部を設け、側面よりも外側に突出しないように前面側傾斜面に電源スイッチを設ける。これにより、ユーザーから電源スイッチが見えるのを十分に抑制することができるので、ユーザーによる電源スイッチの誤操作を十分に抑制することができる。さらに、ユーザーが人差し指で背面側を向く電源スイッチを操作するため、手が垂直方向になる（手のひらが水平方向を向いた状態になる）。このため、電気機器を設置する場合には、電気機器の側面には手を垂直方向にできる程度の隙間があれば足りる。すなわち、電気機器の側面を部屋の壁などに対して距離を置かずに設置しても、電源スイッチの操作ができる。
【図面の簡単な説明】
【０００９】
【図１】本発明の第１実施形態の画像形成装置の外観斜視図である。
【図２】本発明の第１実施形態の画像形成装置の凹部周辺の構造を示した斜視図である。
【図３】本発明の第１実施形態の画像形成装置の凹部周辺の構造を示した断面平面図である。
【図４】図２のＡ−Ａ線に沿った断面図である。
【図５】本発明の第２実施形態の画像形成装置の凹部周辺の構造を示した斜視図である。
【図６】本発明の変形例の画像形成装置の凹部周辺の構造を示した斜視図である。
【図７】従来の電気機器の側面に前面側を向く傾斜面を有する凹部を設け、その傾斜面に電源スイッチを設けた場合に、電源スイッチを操作するときのユーザーの手の向きを表した図である。
【発明を実施するための形態】
【００１０】
以下、本発明の実施形態について図面を参照して説明する。
【００１１】
（第１実施形態）
図１は、本発明の第１実施形態に係る画像形成装置１００の外観斜視図である。図１に示すように、画像形成装置（電気機器）１００は、いわゆる胴内排紙型のデジタル複合機であって、大きくは、本体ハウジング１と、その上部に配設された上ハウジング２と、から構成されている。
【００１２】
上ハウジング２には、原稿の画像を電気信号として読み取るための画像読取部が設けられ、本体ハウジング１には、読み取った原稿画像の電気信号に基づいて用紙に画像を転写するための後述する各種機構が設けられている。上ハウジング２の上面には、原稿を１枚ずつ分離して画像読取部に送り込む原稿搬送装置３が設けられている。また、上ハウジング２の前面から画像形成装置１００の前方に突出するように操作パネル４が設けられている。
【００１３】
本体ハウジング１は、下ハウジング１ａと、その上方で背面部に沿って位置し上ハウジング２に連結される連結ハウジング１ｂと、から構成され、下ハウジング１ａには、用紙の給紙部や、用紙上にトナー画像を形成する画像形成部や、用紙上のトナー画像を定着するための定着装置（いずれも図示せず）等が設けられ、他方、連結ハウジング１ｂには、定着後の用紙を搬送して本体ハウジング１から排出するための用紙排出部５が設けられている。
【００１４】
また、上ハウジング２の直下における連結ハウジング１ｂの前方には、正面に向けて大きく開放された胴内排紙空間６が形成されており、この胴内排紙空間６には、連結ハウジング１ｂの用紙排出部５から排出される用紙を受け取って積載する用紙排出トレイ７が設けられている。
【００１５】
下ハウジング１ａは、前面１０と、画像形成装置１００の正面から向かって右側に配置される右側面１１と、左側に配置される左側面と、背面と、を有する。また、画像形成装置１００内には定着装置等からの放熱により暖められた空気を外部に排気する排気ファン（図示せず）が設けられており、下ハウジング１ａの左側面に設けられた排気ダクト（図示せず）から外部に排気される。
【００１６】
右側面１１の前面１０寄りの部分には、凹部１２が設けられている。凹部１２は図２に示すように、右側面１１に対して傾斜するとともに画像形成装置１００本体の背面側（奥側）を向く前面側傾斜面１２ａと、右側面１１に対して傾斜するとともに前面１０側を向く背面側傾斜面１２ｂと、上面１２ｃと、下面１２ｄと、によって構成されている。
【００１７】
前面側傾斜面１２ａには、画像形成装置１００をオンオフするための電源スイッチ１３が設けられている。電源スイッチ１３は、右側面１１よりも外側に突出しないように配置されている。
【００１８】
電源スイッチ１３は図３に示すように、ユーザーが親指を前面１０に当てながら中指によって操作（オンオフ）可能な位置に配置されている。具体的には、前面１０から電源スイッチ１３の後端部（前面１０から最も遠い部分）までの距離Ｌは、１０ｃｍ以下に設定されている。
【００１９】
図４に示すように、上面１２ｃは水平に形成されている一方、下面１２ｄは、外側に向かって下方に傾斜するように形成されている。
【００２０】
本実施形態では、上記のように、右側面１１に、右側面１１に対して傾斜するとともに背面側を向く前面側傾斜面１２ａを有する凹部１２を設け、右側面１１よりも外側に突出しないように前面側傾斜面１２ａに電源スイッチ１３を設ける。これにより、ユーザーから電源スイッチ１３が見えるのを十分に抑制することができるので、ユーザーによる電源スイッチ１３の誤操作を十分に抑制することができる。なお、画像形成装置１００の管理者等は電源スイッチ１３の位置を知っているので、問題にはならない。
【００２１】
また、電源スイッチ１３を前面側傾斜面１２ａに設けることによって、例えば上記特許文献１のように電源スイッチを前面側を向く傾斜面に設ける場合に比べて、前面１０から電源スイッチ１３までの距離を短くすることができる。これにより、ユーザーの指が電源スイッチ１３に届きやすくなるので、右側面１１と対向する壁との間の隙間に手を深く挿入する必要がないので、その隙間が狭い場合であっても、電源スイッチ１３の操作性が低下するのを抑制することができる。
【００２２】
また、電源スイッチ１３を前面側傾斜面１２ａに設けることによって、電源スイッチ１３を操作する場合、図３に示すように手の甲を立てた状態（手のひらが水平方向を向いた状態）で電源スイッチ１３を操作することになる。これにより、右側面１１と対向する壁との間の隙間が狭い（５ｃｍ程度）場合であっても、電源スイッチ１３の操作性が低下するのを抑制することができる。なお、例えば上記特許文献１のように電源スイッチを前面側を向く傾斜面に設けた場合、手の甲を横にした状態（手のひらが下方向を向いた状態）の方が電源スイッチを操作しやすいが、側面と対向する壁との間の隙間に手を入れにくくなるので、電源スイッチの操作性が低下する。
【００２３】
また、上記のように、電源スイッチ１３は、ユーザーが親指を前面１０に当てながら中指によって操作可能な位置に配置されている。これにより、図３に示すように親指と中指等とで挟むような動きによって電源スイッチ１３を操作することができるので、電源スイッチ１３の操作性をより向上させることができる。
【００２４】
また、上記のように、凹部１２は、外側に向かって下方に傾斜する下面１２ｄを有する。これにより、凹部１２の下面１２ｄに埃が溜まるのを抑制することができるので、電源スイッチ１３の操作時に手に埃が付くのを抑制することができる。
【００２５】
（第２実施形態）
本発明の第２実施形態では図５に示すように、右側面１１のうちの凹部１２の近傍には、電源スイッチ１３がある旨の表示Ｓ１と、電源スイッチ１３のオンオフに関する表示Ｓ２と、が施されている。表示Ｓ１およびＳ２は、右側面１１のうちの凹部１２と前面１０との間に配置されている。
【００２６】
第２実施形態のその他の構造は、上記第１実施形態と同様である。
【００２７】
本実施形態では、上記のように、凹部１２の近傍には、電源スイッチ１３がある旨の表示Ｓ１が施されている。これにより、電源スイッチ１３の位置を知ることができる。
【００２８】
また、上記のように、凹部１２の近傍には、電源スイッチ１３のオンオフに関する表示Ｓ２が施されている。これにより、電源スイッチ１３を容易にオンオフすることができる。
【００２９】
第２実施形態のその他の効果は、上記第１実施形態と同様である。
【００３０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
例えば、デジタル複合機に本発明を適用した例について示したが、本発明はこれに限らない。言うまでもなく、モノクロプリンター、カラープリンター、カラー複合機、ファクシミリ等の画像形成装置に本発明を適用できる。さらに、画像形成装置に限らず、スキャナー、空気清浄器、パソコンなどの電気機器にも本発明を適用できる。
【００３２】
また、例えば上記第２実施形態では、右側面１１のうちの凹部１２の近傍に、表示Ｓ１およびＳ２が施される例について示したが、本発明はこれに限らない。例えば図６に示した本発明の変形例の画像形成装置１００のように、前面１０のうちの凹部１２の近傍に、表示Ｓ１およびＳ２が施されてもよい。このように構成すれば、画像形成装置１００の正面からでも、電源スイッチ１３の位置を知ることができるとともに電源スイッチ１３を容易にオンオフすることができる。
【００３３】
また、上述した実施形態および変形例の構成を適宜組み合わせて得られる構成についても、本発明の技術的範囲に含まれる。
【符号の説明】
【００３４】
１０  前面
１１  右側面（側面）
１２  凹部
１２ａ  前面側傾斜面
１２ｄ  下面
１３  電源スイッチ
１００  画像形成装置
Ｓ１、Ｓ２  表示
【図１】
0006447471.tif 000002
【図２】
0006447471.tif 000003
【図３】
0006447471.tif 000004
【図４】
0006447471.tif 000005
【図５】
0006447471.tif 000006
【図６】
0006447471.tif 000007
【図７】
0006447471.tif 000008